(57)【要約】    【課題】      ＩＳＤＮの起動モードに応じて効率的に省電力化を図ること。    【解決手段】  ＩＳＤＮの起動モードが常時起動の場合に特定の構成要素を動作停止状態にして本ユニットの消費電力を低減するパワーダウンモードに移行する一方、ＩＳＤＮの起動モードが呼毎起動の場合に特定の構成要素への電源供給を停止して前記パワーダウンモードよりも本ユニットの消費電力を低減するスタンバイモードに移行するＩＳＤＮ制御部１０１において、ＩＳＤＮ網に接続するためのＳ／Ｔコントローラ１０９を介して得たレイヤ１で定義される起動の種別に応じてＩＳＤＮの起動モードを識別し、起動モードが呼毎起動の場合にＣＰＵ１０８で特定の構成要素への電源供給を再開させてスタンバイモードを解除する。  【選択図】      図４
2005348152.tif 000002
【特許請求の範囲】
【請求項１】
ＩＳＤＮの起動モードが常時起動の場合に特定の構成要素を動作停止状態にして本ユニットの消費電力を低減するパワーダウンモードに移行する一方、ＩＳＤＮの起動モードが呼毎起動の場合に特定の構成要素への電源供給を停止して前記パワーダウンモードよりも本ユニットの消費電力を低減するスタンバイモードに移行するＩＳＤＮ制御ユニットであって、ＩＳＤＮ網に接続するためのインタフェース手段と、前記インタフェース手段を介して得たＬａｙｅｒ１で定義される起動の種別に応じてＩＳＤＮの起動モードを識別する識別手段と、前記起動モードが呼毎起動の場合に特定の構成要素への電源供給を再開させて前記スタンバイモードを解除する制御手段と、を具備することを特徴とするＩＳＤＮ制御ユニット。
【請求項２】
前記制御手段は、前記インタフェース手段を介して得た呼設定情報から自局宛ての呼を検出した場合に特定の構成要素への電源供給を再開させて前記スタンバイモードを解除することを特徴とする請求項１記載のＩＳＤＮ制御ユニット。
【請求項３】
前記スタンバイモードでは電源供給を停止する特定の構成要素以外の構成要素を動作停止状態にし、前記制御手段は、当該スタンバイモードを解除する際、動作停止状態の構成要素を動作停止状態から復帰させることを特徴とする請求項１記載のＩＳＤＮ制御ユニット。
【請求項４】
ＩＳＤＮの起動モードが常時起動の場合に特定の構成要素を動作停止状態にして本ユニットの消費電力を低減するパワーダウンモードに移行する一方、ＩＳＤＮの起動モードが呼毎起動の場合に特定の構成要素への電源供給を停止して前記パワーダウンモードよりも本ユニットの消費電力を低減するスタンバイモードに移行するＩＳＤＮ制御ユニットであって、ＩＳＤＮ網に接続するためのインタフェース手段と、前記インタフェース手段を介して得たＬａｙｅｒ１で定義される起動の種別に応じてＩＳＤＮの起動モードを識別する識別手段と、前記起動モードが常時起動の場合に特定の構成要素を動作停止状態から復帰させて前記パワーダウンモードを解除する制御手段と、を具備することを特徴とするＩＳＤＮ制御ユニット。
【請求項５】
前記制御手段は、前記インタフェース手段を介して得た呼設定情報から自局宛ての呼を検出した場合に特定の構成要素を動作停止状態から復帰させて前記パワーダウンモードを解除することを特徴とする請求項４記載のＩＳＤＮ制御ユニット。
【請求項６】
請求項１から請求項５のいずれかに記載のＩＳＤＮ制御ユニットを備えることを特徴とする複合機。
【発明の詳細な説明】
【技術分野】
【０００１】
本発明は、ＩＳＤＮ網に接続され、待機時の省電力化を可能にするＩＳＤＮ制御ユニット及びこれを備えた複合機に関する。
【背景技術】
【０００２】
従来、Ｌａｙｅｒ１監視部を設け、ＩＳＤＮ網制御部と端末主機能部への給電を独立して行い、Ｌａｙｅｒ１監視部が着信を検知した際にＩＳＤＮ網制御部への給電を開始し、着信に応答可能な場合に端末主機能部への給電を開始することにより、待機時に端末主機能部等への給電を停止し、低消費電力で動作することのできる通信端末装置が提案されている（例えば、特許文献１参照）。
【特許文献１】特開２００１−３３３２０８号公報
【発明の開示】
【発明が解決しようとする課題】
【０００３】
しかしながら、上記従来の通信端末装置においては、Ｇ４ファクシミリ機能がオプション機能として追加されるような場合には、その省電力化方式を適用することができず、省電力化を図ることができないという問題がある。
【０００４】
また、従来の通信端末装置においては、Ｌａｙｅｒ１監視部が着信を検知した場合にはＩＳＤＮ網制御部への給電が開始される。ＩＳＤＮの起動モード（呼毎起動及び常時起動）と無関係にＩＳＤＮ網制御部への給電が開始されるため、更なる省電力化を図ることができないという問題がある。
【０００５】
特に、ＩＳＤＮにおいては、１本の通信回線に複数台の通信端末装置を接続可能であるが、Ｌａｙｅｒ１監視部における着信検知に応じてＩＳＤＮ網制御部への給電が開始される場合には、給電の必要がない通信端末装置のＩＳＤＮ網制御部にまで給電が行われる事態が生ずる。このため、効率的に省電力化を図ることができないという問題がある。
【０００６】
本発明は、上記問題点に鑑みて為されたものであり、ＩＳＤＮの起動モードに応じて効率的に省電力化を図ることができるＩＳＤＮ制御ユニット及びこれを備えた複合機を提供することを目的とする。
【課題を解決するための手段】
【０００７】
本発明は、ＩＳＤＮの起動モードが常時起動の場合に特定の構成要素を動作停止状態にして本ユニットの消費電力を低減するパワーダウンモードに移行する一方、ＩＳＤＮの起動モードが呼毎起動の場合に特定の構成要素への電源供給を停止して前記パワーダウンモードよりも本ユニットの消費電力を低減するスタンバイモードに移行するＩＳＤＮ制御ユニットにおいて、ＩＳＤＮ網に接続するためのインタフェースを介して得たＬａｙｅｒ１で定義される起動の種別に応じてＩＳＤＮの起動モードを識別し、起動モードが呼毎起動の場合に特定の構成要素への電源供給を再開させてスタンバイモードを解除するようにしたものである。
【０００８】
また、本発明は、ＩＳＤＮの起動モードが常時起動の場合に特定の構成要素を動作停止状態にして本ユニットの消費電力を低減するパワーダウンモードに移行する一方、ＩＳＤＮの起動モードが呼毎起動の場合に特定の構成要素への電源供給を停止して前記パワーダウンモードよりも本ユニットの消費電力を低減するスタンバイモードに移行するＩＳＤＮ制御ユニットにおいて、ＩＳＤＮ網に接続するためのインタフェースを介して得たＬａｙｅｒ１で定義される起動の種別に応じてＩＳＤＮの起動モードを識別し、起動モードが常時起動の場合に特定の構成要素を動作停止状態から復帰させてパワーダウンモードを解除するようにしたものである。
【発明の効果】
【０００９】
本発明に係るＩＳＤＮ制御ユニット及びこれを備えた複合機によれば、ＩＳＤＮの起動モードに応じて効率的に省電力化を図ることができる。
【発明を実施するための最良の形態】
【００１０】
本発明の第１の態様に係るＩＳＤＮ制御ユニットは、ＩＳＤＮの起動モードが常時起動の場合に特定の構成要素を動作停止状態にして本ユニットの消費電力を低減するパワーダウンモードに移行する一方、ＩＳＤＮの起動モードが呼毎起動の場合に特定の構成要素への電源供給を停止して前記パワーダウンモードよりも本ユニットの消費電力を低減するスタンバイモードに移行するＩＳＤＮ制御ユニットであって、ＩＳＤＮ網に接続するためのインタフェース手段と、前記インタフェース手段を介して得たＬａｙｅｒ１で定義される起動の種別に応じてＩＳＤＮの起動モードを識別する識別手段と、前記起動モードが呼毎起動の場合に特定の構成要素への電源供給を再開させて前記スタンバイモードを解除する制御手段と、を具備する構成を採る。
【００１１】
この構成によれば、インタフェース手段を介して得たＬａｙｅｒ１で定義される起動の種別に応じてＩＳＤＮの起動モードが識別され、その起動モードが呼毎起動の場合に特定の構成要素への電源供給を再開させてスタンバイモードが解除される。したがって、ＩＳＤＮの起動モードに応じて特定の構成要素への電源供給を操作することができるので、ＩＳＤＮの起動モードに応じて効率的に省電力化を図ることができる。
【００１２】
本発明の第２の態様は、第１の態様に係るＩＳＤＮ制御ユニットにおいて、前記制御手段は、前記インタフェース手段を介して得た呼設定情報から自局宛ての呼を検出した場合に特定の構成要素への電源供給を再開させて前記スタンバイモードを解除する構成を採る。
【００１３】
この構成によれば、インタフェース手段を介して得た呼設定情報から自局宛ての呼を検出した場合に特定の構成要素への電源供給を再開させてスタンバイモードが解除される。したがって、呼設定情報の内容に応じて特定の構成要素への電源供給を操作することができるので、ＩＳＤＮの起動モードと合わせて呼設定情報の内容に応じて効率的に省電力化を図ることができる。
【００１４】
一方、自局宛ての呼以外の呼を検出した場合には、スタンバイモードが解除されず、そのまま維持される。したがって、例えば、通信回線に複数台の端末が接続された場合に自局宛ての呼以外の呼を検出した場合にスタンバイモードが解除され、電源供給が行われる事態が回避されるので、効率的に省電力化を図ることができる。
【００１５】
本発明の第３の態様は、第１の態様に係るＩＳＤＮ制御ユニットにおいて、前記スタンバイモードでは電源供給を停止する特定の構成要素以外の構成要素を動作停止状態にし、前記制御手段は、当該スタンバイモードを解除する際、動作停止状態の構成要素を動作停止状態から復帰させる構成を採る。
【００１６】
この構成によれば、スタンバイモードにおいて電源供給を停止する特定の構成要素以外の構成要素を動作停止状態にし、このスタンバイモードを解除する際、動作停止状態の構成要素を動作停止状態から復帰させる。したがって、スタンバイモードにおいては特定の構成要素以外の構成要素が動作停止状態になるので、よりＩＳＤＮ制御ユニットにおける省電力化を図ることができる。
【００１７】
本発明の第４の態様に係るＩＳＤＮ制御ユニットは、ＩＳＤＮの起動モードが常時起動の場合に特定の構成要素を動作停止状態にして本ユニットの消費電力を低減するパワーダウンモードに移行する一方、ＩＳＤＮの起動モードが呼毎起動の場合に特定の構成要素への電源供給を停止して前記パワーダウンモードよりも本ユニットの消費電力を低減するスタンバイモードに移行するＩＳＤＮ制御ユニットであって、ＩＳＤＮ網に接続するためのインタフェース手段と、前記インタフェース手段を介して得たＬａｙｅｒ１で定義される起動の種別に応じてＩＳＤＮの起動モードを識別する識別手段と、前記起動モードが常時起動の場合に特定の構成要素を動作停止状態から復帰させて前記パワーダウンモードを解除する制御手段と、を具備する構成を採る。
【００１８】
この構成によれば、インタフェース手段を介して得たＬａｙｅｒ１で定義される起動の種別に応じてＩＳＤＮの起動モードが識別され、その起動モードが常時起動の場合に特定の構成要素を動作停止状態から復帰させてパワーダウンモードが解除される。このため、ＩＳＤＮの起動モードに応じて特定の構成要素の動作停止状態を操作することができる。この結果、特定の構成要素への電源供給を操作することができるので、ＩＳＤＮの起動モードに応じて効率的に省電力化を図ることができる。
【００１９】
本発明の第５の態様は、第４の態様に係るＩＳＤＮ制御ユニットにおいて、前記制御手段は、前記インタフェース手段を介して得た呼設定情報から自局宛ての呼を検出した場合に特定の構成要素を動作停止状態から復帰させて前記パワーダウンモードを解除する構成を採る。
【００２０】
この構成によれば、インタフェース手段を介して得た呼設定情報から自局宛ての呼を検出した場合に特定の構成要素を動作停止状態から復帰させてパワーダウンモードが解除される。したがって、呼設定情報の内容に応じて特定の構成要素の動作停止状態を操作することができる。この結果、特定の構成要素への電源供給を操作することができるので、ＩＳＤＮの起動モードと合わせて呼設定情報の内容に応じて効率的に省電力化を図ることができる。
【００２１】
一方、自局宛ての呼以外の呼を検出した場合には、パワーダウンモードが解除されず、そのまま維持される。したがって、例えば、通信回線に複数台の端末が接続された場合に自局宛ての呼以外の呼を検出した場合にパワーダンモードが解除され、電源供給が行われる事態が回避されるので、効率的に省電力化を図ることができる。
【００２２】
本発明の第６の態様に係る複合機は、第１から第５のいずれかの態様に係るＩＳＤＮ制御ユニットを備える構成を採る。
【００２３】
この構成によれば、複合機において、第１から第５のいずれかの態様に係るＩＳＤＮ制御ユニットにおいて得られる効果を得ることができる。
【００２４】
以下、本発明の実施の形態について図面を参照して詳細に説明する。
【００２５】
図１は、本発明の一実施の形態に係る複合機におけるＩＳＤＮ制御ユニット（ＩＳＤＮ制御部）周辺の構成を示すフロック図である。
【００２６】
本実施の形態に係る複合機は、ＩＴＵ−Ｔ勧告に基づくＧ４規格に準拠したデジタル回線用のファクシミリ機能（以下、「Ｇ４ファクシミリ機能」という）を有すると共に、同勧告に基づくＧ３規格に準拠したアナログ電話回線用のファクシミリ機能（以下、「Ｇ３ファクシミリ機能」という）を有する。図１に示すＩＳＤＮ制御部１０１は、主に前者のＧ４ファクシミリ機能を実行する場合の処理の制御を行い、回線端末主機能部１０２は、主に後者のＧ３ファクシミリ機能を実行する場合の処理の制御を行う。
【００２７】
ＩＳＤＮ制御部１０１は、ＩＳＤＮ網に接続され、ＩＳＤＮ網を介した通信の制御を行う。特に、Ｇ４ファクシミリ機能を実行するためのプロトコルに従った通信制御を行う。また、Ｇ３ファクシミリ機能の変復調機能を備えると共に、画像データのコーディング及びデコーディング機能を備える。さらに、ＩＳＤＮ制御部１０１は、ＩＳＤＮ網を用いてＧ３ファクシミリ機能と同等のファクシミリ機能を実現するＧ３Ｉファクシミリ機能を実行する場合の処理の制御も行う。
【００２８】
回線端末主機能部１０２は、ＰＳＴＮ網に接続され、ＰＳＴＮ網を介した通信の制御を行う。特に、Ｇ３ファクシミリ機能を実行するためのプロトコルに従った通信制御を行う。また、Ｇ３ファクシミリ機能の変復調機能を備えると共に、画像データのコーディング及びデコーディング機能を備える。さらに、回線端末主機能部１０２は、本複合機のファクシミリ機能に関する画像データの印刷を行う際における画像データの圧縮や解像度変換等の処理も行う。
【００２９】
ＩＳＤＮ制御部１０１及び回線端末主機能部１０２は、複合機本体１０３に接続されている。図１においては、ＩＳＤＮ制御部１０１が拡張基板１０４を介して複合機本体１０３に接続された場合について示している。複合機本体１０３は、電源ユニット１０５を備えている。ＩＳＤＮ制御部１０１及び回線端末主機能部１０２は、この電源ユニット１０５から電源供給を受けて動作を行う。
【００３０】
電源ユニット１０５は、常時電源１０６及びメイン電源スイッチ（ＳＷ）１０７を備える。常時電源１０６は、常時、ＩＳＤＮ制御部１０１及び回線端末主機能部１０２が動作する際に必要とする電源（３．３Ｖ）を供給する。メイン電源ＳＷ１０７は、後述するウェイクアップ信号に応じて上述の３．３Ｖ以外の電源（５Ｖ、２４Ｖ）の供給を切り替えるスイッチである。回線端末主機能部１０２においては、例えば、モニタ音声を出力する場合に５Ｖの電源が必要となる。
【００３１】
ＩＳＤＮ制御部１０１及び回線端末主機能部１０２は、構成要素を動作停止状態にすることで消費電力を低減する機能（以下、「省エネ機能」という）を有している。特に、ＩＳＤＮ制御部１０１は、省エネ機能においてパワーダウンモード及びスタンバイモードという２つの省エネモードを有している。なお、ＩＳＤＮ制御部１０１が有する省エネ機能の詳細については後述する。
【００３２】
パワーダウンモードとは、ＩＳＤＮ制御部１０１の特定の構成要素を動作停止状態（パワーダウン状態）とすることで、この特定の構成要素の消費電力を低減するものである。一方、スタンバイモードとは、後述するＩＳＤＮ制御部１０１のバススイッチによりバス（アドレスバス及びデータバス）を分離状態とすることで特定の構成要素への電源供給を停止すると共に、他の構成要素をパワーダウン状態とすることで、パワーダウンモードよりも消費電力を低減するものである。
【００３３】
図１に示すＩＳＤＮ制御部１０１においては、スタンバイモードで電源供給が停止される部分について網掛けで表示している。また、回線端末主機能部１０２においては、動作停止状態となる部分について網掛けで表示している。
【００３４】
同図に示すように、ＩＳＤＮ制御部１０１においては、ＩＳＤＮ制御部１０１の全体の制御を行うＣＰＵ１０８や、Ｓ／Ｔバス上のデータを制御するＳ／Ｔコントローラ１０９に対して常時、電源供給が行われている。一方、後述する変復調装置や画像ＣＯＤＥＣ等を含むその他ＩＣ１１０には、一定の条件下で電源供給が停止される。なお、Ｓ／Ｔバスコネクタは、ＲＪ−４５などのモジュラ・コネクタで構成される。
【００３５】
一方、回線端末主機能部１０２においては、回線端末主機能部１０２の全体の制御を行うメインＣＰＵ１１１に対して、一定の条件下で電源供給が停止される。一方、ＩＳＤＮ制御部１０１のＣＰＵ１０８からの割込み信号等に応じて後述する電源スイッチ（ＳＷ）に指示を与える省エネマイコン１１２に対して常時、電源供給が行われている。電源ＳＷ１１３は、省エネマイコン１１２の指示の下、その他ＩＣ１１０やメインＣＰＵ１１１への電源供給を切り替える。
【００３６】
ＩＳＤＮ制御部１０１のその他ＩＣ１１０への電源供給の再開は、例えば、ＩＳＤＮ網から着信があった場合に行われる。ＩＳＤＮ網から着信があると、ＣＰＵ１０８から割込み信号が省エネマイコン１１２に出力される。省エネマイコン１１２は、この割込み信号に応じて電源ＳＷ１１３にその他ＩＣ１１０への電源供給の再開を指示する。電源ＳＷ１１３は、この指示に応じてその他ＩＣ１１０への電源供給を再開する。
【００３７】
一方、メインＣＰＵ１１１への電源供給の再開は、例えば、ＰＳＴＮ網から着信があった場合に行われる。ＰＳＴＮ網から着信があると、網制御部を介して割込み信号が省エネマイコン１１２に出力される。省エネマイコン１１２は、この割込み信号に応じて電源ＳＷ１１３にメインＣＰＵ１１１への電源供給の再開を指示する。電源ＳＷ１１３は、この指示に応じてメインＣＰＵ１１１への電源供給を再開する。
【００３８】
電源供給が再開されると、メインＣＰＵ１１１は、複合機本体１０３にウェイクアップ信号を出力する。複合機本体１０３のＵＳＢインタフェイス（Ｉ／Ｆ）において、このウェイクアップ信号を検出すると、メイン電源ＳＷ１０７がオン状態に切り替えられる。メイン電源ＳＷ１０７がオン状態に切り替えられると、システム制御部１１４によりシステムを起動され、その他の電源供給（５Ｖ、２４Ｖ）が回線端末主機能部１０２に対して行われる。
【００３９】
なお、本複合機においては、ＵＳＢバス上の信号を用いて独自のウェイクアップ信号と見なしている。具体的には、ＵＳＢバス上の信号であるＤ＋を用いて独自のウェイクアップ信号と見なしている。
【００４０】
図２は、かかるウェイクアップ信号と見なされるＤ＋の状態を説明するための図である。
【００４１】
同図に示すように、本複合機においては、回線端末主機能部１０２に対してその他の電源供給を行っていない状態（スリープ状態）の場合にＤ＋をＬｏｗレベルとし、スリープ状態を解除する場合（その他の電源供給を行う場合）にＨｉｇｈレベルとしている。すなわち、本複合機においては、このＤ＋におけるＨｉｇｈレベルへの切替えをウェイクアップ信号と見なしている。言い換えると、Ｄ＋をプルアップすることでウェイクアップ信号が電源ユニット１０５に出力されたと見なされる。
【００４２】
また、本実施の形態に係る複合機はＩＳＤＮ電話に対応する。ＩＳＤＮ電話は、後述する音声ＣＯＤＥＣから出力される音声に基づいて、拡張基板１０４上のモジュラ・コネクタに接続されたハンドセット１１５により通話を行う機能である（図１参照）。
【００４３】
次に、本実施の形態に係るＩＳＤＮ制御部１０１における省エネ機能について説明する。ＩＳＤＮ制御部１０１における省エネ機能は、Ｌａｙｅｒ１で定義される起動の種別（以下、「Ｌａｙｅｒ１起動種別」という）に応じて移行すべきモードが変わる。すなわち、Ｌａｙｅｒ１起動種別が常時起動か、呼毎起動かに応じて移動すべきモードが変わる。なお、ＩＳＤＮ制御部１０１における省エネモードへの移行は、複合機本体１０３からの移行指示に従って行われる。
【００４４】
ＩＳＤＮ制御部１０１においては、Ｌａｙｅｒ１起動種別が常時起動の場合にパワーダウンモードに移行し、Ｌａｙｅｒ１起動種別が呼毎起動の場合にスタンバイモードに移行する。
【００４５】
図３及び図４は、本実施の形態に係るＩＳＤＮ制御部１０１の構成を示すブロック図である。なお、図３においては、Ｌａｙｅｒ１起動種別が常時起動であり、パワーダウンモードに移行した状態について示している。図４においては、Ｌａｙｅｒ１起動種別が呼毎起動であり、スタンバイモードに移行した状態について示している。なお、図３及び図４において、図１と同一の構成については同一の符号を付している。
【００４６】
図３及び図４に示すように、ＩＳＤＮ制御部１０１は、上述のＣＰＵ１０８を備え、このＣＰＵ１０８にバスを介してＦＲＯＭ３０１及びＳＲＡＭ３０２が接続されている。ＦＲＯＭ３０１は、ＣＰＵ１０８が読み込んで実行するプログラムを格納するプログラムＲＯＭとして機能する。ＳＲＡＭ３０２は、ＣＰＵ１０８のワークメモリとして機能する。
【００４７】
また、ＣＰＵ１０８にバスを介して上述のＳ／Ｔコントローラ１０９及びＧ４ファックス制御部３０３が接続されている。Ｓ／Ｔコントローラ１０９は、Ｓ／ＴバスドライバとＤチャネルの制御を行うものであり、主に呼制御を行う。Ｇ４ファックス制御部３０３は、Ｇ４ファクシミリ機能を実行する際に必要となる通信制御を実行する。Ｇ４ファックス制御部３０３は、ＨＤＬＣコントローラ３０４を備えている。ＨＤＬＣコントローラ３０４は、ＨＤＬＣ制御手順に従ってデータの通信制御を行う。
【００４８】
Ｓ／Ｔコントローラ１０９に独自のシリアルバスを介してＨＤＬＣコントローラ３０４と、音声ＣＯＤＥＣ３０５とが接続されている。音声ＣＯＤＥＣ３０５は、Ｓ／Ｔコントローラ１０９を介して受信したデジタルデータを音声データに変換する処理を行う。変換された音声データは、Ｇ３Ｉファックス制御部３０６に入力される。
【００４９】
また、本複合機におけるＩＳＤＮ電話機能が用いられる場合、音声ＣＯＤＥＣ３０５は、デジタルデータから変換した音声データをハンドセット１１５に出力する。一方、ハンドセット１１５から入力した音声データをデジタルデータに変換する。変換されたデジタルデータは、Ｓ／Ｔコントローラ１０９を介してＩＳＤＮ網に出力される。
【００５０】
Ｇ３Ｉファックス制御部３０６は、Ｇ３Ｉファクシミリ機能を実行する際に必要となる通信制御を実行する。Ｇ３Ｉファックス制御部３０６は、ＡＦＥ３０７及び変復調装置３０８を備えている。音声ＣＯＤＥＣ３０５から入力された音声データは、ＡＦＥ３０７を介しデジタルデータに変換して変復調装置３０８に入力される。変復調装置３０８は、入力された音声データの変復調処理を行う。なお、この変復調装置３０８は、バスを介してＣＰＵ１０８に接続されている。
【００５１】
さらに、ＣＰＵ１０８にバスを介して２つの画像ＣＯＤＥＣ３０９及び３１０が接続されている。画像ＣＯＤＥＣ３０９及び３１０は、画像データのコーディング及びデコーディング処理を行う。２つの画像ＣＯＤＥＣ３０９及び３１０が用意されているのは、Ｇ３Ｉファクシミリ機能及びＧ４ファクシミリ機能を同時に用いてファクシミリ通信を可能とするためである。
【００５２】
画像ＣＯＤＥＣ３０９に主メモリ３１１が接続されている。主メモリ３１１は、後述するバススイッチによりバスが非分離状態とされている場合に、ＳＲＡＭ３０２と共にＣＰＵ１０８のワークメモリとして機能する。なお、バススイッチによりバスが分離状態とされている場合には、ＳＲＡＭ３０２のみがＣＰＵ１０８のワークメモリとして機能する。
【００５３】
ＩＳＤＮ制御部１０１は、バス上にバススイッチ３１２を備えている。バススイッチ３１２は、図３に示すように、ＣＰＵ１０８と変復調装置３０８並びに画像ＣＯＤＥＣ３０９及び３１０とを接続する位置に設けられている。バススイッチ３１２は、バスを分離することで、スタンバイモードにおいて電源ＯＦＦ状態となっている構成要素（ＩＣ）へバスから電流が流れ込むのを防止する。以下においては、適宜、バススイッチ３１２によりバスが分離状態とされている場合を「バススイッチＯＦＦ」と呼び、バススイッチ３１２によりバスが非分離状態とされている場合を「バススイッチＯＮ」と呼ぶものとする。
【００５４】
上述のように、ＩＳＤＮ制御部１０１は、Ｌａｙｅｒ１起動種別が常時起動の場合、複合機本体１０３の指示の下、パワーダウンモードに移行する。パワーダウンモードへの移行のタイミングは特に限定されるものでないが、例えば、所定時間、複合機本体１０３においてＩＳＤＮ制御部１０１等から指示や要求がないような場合やＦＡＸ送信などの発信がない場合に、複合機本体１０３からＩＳＤＮ制御部１０１にパワーダウンモードへの移行指示を出力することが考えられる。
【００５５】
パワーダウンモードにおいては、バススイッチ３１２によりバスが非分離状態とされている。この状態において、特定の構成要素が動作停止状態（パワーダウン状態）とされる。具体的には、ＨＤＬＣコントローラ３０４、Ｇ３Ｉファックス制御部３０６及び画像ＣＯＤＥＣ３１０がパワーダウン状態とされる。なお、ＨＤＬＣコントローラ３０４がパワーダウン状態とされると、これに接続されている音声ＣＯＤＥＣ３０５もパワーダウン状態とされる。
【００５６】
これらの構成要素をパワーダウン状態にする際、ＣＰＵ１０８は、動作停止信号を出力するか、ソフトウェアコマンドにより動作を停止する。図３においては、Ｇ３Ｉファックス制御部３０６のＡＦＥ３０７及び変復調装置３０８並びに画像ＣＯＤＥＣ３１０に動作停止信号を出力し、Ｇ４ファックス制御部３０３に対してソフトウェアコマンドでパワーダウン状態にする場合について示している。
【００５７】
また、これらの構成要素をパワーダウン状態から復帰させる際、ＣＰＵ１０８は、パワーダウン状態を解除する解除信号を出力するか、ソフトウェアコマンドにより動作停止を解除する。図３においては、パワーダウン状態にする場合と同様に、Ｇ３Ｉファックス制御部３０６のＡＦＥ３０７及び変復調装置３０８並びに画像ＣＯＤＥＣ３１０に解除信号を出力し、ＨＤＬＣコントローラ３０４に対してソフトウェアコマンドでパワーダウン状態を解除する場合について示している。
【００５８】
一方、ＩＳＤＮ制御部１０１は、Ｌａｙｅｒ１起動種別が呼毎起動の場合、複合機本体１０３の指示の下、スタンバイモードに移行する。スタンバイモードへの移行のタイミングは特に限定されるものでないが、パワーダウンモードへの移行と同様に、例えば、所定時間、複合機本体１０３においてＩＳＤＮ制御部１０１等から指示や要求がないような場合やＦＡＸ送信などの発信がない場合に、複合機本体１０３からＩＳＤＮ制御部１０１にパワーダウンモードへの移行指示を出力することが考えられる。
【００５９】
上述のように、スタンバイモードは、バススイッチ３１２によりバスを分離状態とすることで特定の構成要素への電源供給を停止すると共に、他の構成要素をパワーダウン状態とするものである。本実施の形態においては、当該他の構成要素をパワーダウン状態にした後、バススイッチ３１２によりバスを分離状態とすることで特定の構成要素への電源供給を停止するようにしている。
【００６０】
なお、複合機本体１０３は、ＣＰＵ１０８が本体からの電源を停止したら、Ｓ／Ｔコントローラ１０９をローパワーモードに移行する。同様に、複合機本体１０３は、ＣＰＵ１０８、ＦＲＯＭ３０１及びＳＲＡＭ３０２についても、消費電力が低減されるローパワーモードに移行する。
【００６１】
スタンバイモードにおいては、ＨＤＬＣコントローラ３０４（音声ＣＯＤＥＣ３０５）がパワーダウン状態にされた後、バススイッチ３１２によりバスが分離状態とされる。そして、ＣＰＵ１０８、Ｓ／Ｔコントローラ１０９、ＦＲＯＭ３０１及びＳＲＡＭ３０２がローパワーモードに移行する。
【００６２】
スタンバイモードからの復帰は、ＣＰＵ１０８、Ｓ／Ｔコントローラ１０９、ＦＲＯＭ３０１及びＳＲＡＭ３０２がローパワーモードから復帰させた後、特定の構成要素への電源供給を再開し、バススイッチ３１２によりバスを非分離状態に切り替える。その後、ＨＤＬＣコントローラ３０４等をパワーダウン状態から復帰させることで行われる。
【００６３】
次に、本実施の形態に係るＩＳＤＮ制御部１０１がスタンバイモード及びパワーダウンモードから復帰する場合の動作について説明する。
【００６４】
図５及び図６は、それぞれ本実施の形態に係るＩＳＤＮ制御部１０１がスタンバイモード及びパワーダウンモードから復帰する場合の動作について説明するためのフロー図である。
【００６５】
なお、図５及び図６においては、左方にＩＳＤＮ制御部１０１の動作フローを示し、中央に回線端末主機能部１０２の動作フローを示し、右方に複合機本体１０３の動作フローを示している。
【００６６】
図５の動作を開始する前提として、ＩＳＤＮ制御部１０１は、複合機本体１０３の指示の下、Ｌａｙｅｒ１起動種別に応じてスタンバイモードに既に移行しているものとする。スタンバイモードへ移行している場合には、ＩＳＤＮ制御部１０１のＣＰＵ１０８等もローパワーモードに移行しているものとする。また、回線端末主機能部１０２は、メインＣＰＵ１１１が動作停止状態にされているものとする。さらに、複合機本体１０３は、電源ユニット１０５のメイン電源ＳＷ１０７がオフ状態とされているものとする。
【００６７】
一方、図６の動作を開始する前提として、ＩＳＤＮ制御部１０１は、複合機本体１０３の指示の下、Ｌａｙｅｒ１起動種別に応じてパワーダウンモードに既に移行しているものとする。また、回線端末主機能部１０２は、メインＣＰＵ１１１が動作停止状態にされているものとする。さらに、複合機本体１０３は、電源ユニット１０５のメイン電源ＳＷ１０７がオフ状態とされているものとする。
【００６８】
スタンバイモードから復帰する場合においては、図５に示すように、まず、ＩＮＦＯの受信が監視されている（ＳＴ５０１）。ＩＮＦＯを受信するまではＳＴ５０１の判断が繰り返される。なお、このＩＮＦＯ受信の監視は、Ｓ／Ｔコントローラ１０９により行われる。
【００６９】
ＩＮＦＯの受信が確認されると、Ｓ／Ｔコントローラ１０９からＣＰＵ１０８に割込み信号が出力される（ＳＴ５０２）。この割込み信号に応じて、ＣＰＵ１０８、ＦＲＯＭ３０１及びＳＲＡＭ３０２がローパワーモードから復帰する（ＳＴ５０３）。
【００７０】
次に、ＳＥＴＵＰメッセージの受信が監視される（ＳＴ５０４）。ＳＥＴＵＰを受信するまではＳＴ５０４の判断が繰り返される。ＳＥＴＵＰの受信が確認されると、そのＳＥＴＵＰの内容の解析が行われる（ＳＴ５０５）。なお、ＳＥＴＵＰ受信の判断及びＳＥＴＵＰの内容解析は、ＣＰＵ１０８により行われる。
【００７１】
そして、ＳＥＴＵＰの内容に応じて自局への呼であるかが判断される（ＳＴ５０６）。ここで、自局への呼でないと判断された場合には、複合機本体１０３の指示の下、Ｓ／Ｔコントローラ１０９、ＣＰＵ１０８、ＦＲＯＭ３０１及びＳＲＡＭ３０２がローパワーモードに移行する（ＳＴ５０７）。そして、処理がＳＴ５０１に戻され、再び、ＩＮＦＯの受信が監視される。
【００７２】
一方、自局への呼であると判断された場合には、ＣＰＵ１０８から回線端末主機能部１０２の省エネマイコン１１２に割込み信号が出力される。割込み信号を受け取ると、省エネマイコン１１２は、電源ＳＷ１１３をオン状態に切り替える指示を出す。この指示に応じて電源ＳＷ１１３がオン状態に切り替わる（ＳＴ５０８）。
【００７３】
スタンバイモードにおいては、電源ＳＷ１１３がオン状態とされると、ＩＳＤＮ制御部１０１のバススイッチ３１２によりバスが分離状態から非分離状態（電源ＯＮに引き続きバススイッチＯＮ）に切り替えられる（ＳＴ５０９）。これにより、バススイッチ３１２の図４に示す下方に配置された画像ＣＯＤＥＣ３０９や変復調装置３０８に常時電源１０６からの電源供給が再開される。
【００７４】
一方、電源ＳＷ１１３がオン状態とされると、回線端末主機能部１０２のメインＣＰＵ１１１に常時電源１０６からの電源供給が再開される。電源供給を受けると、メインＣＰＵ１１１は、ウェイクアップ信号を複合機本体１０３に出力する（ＳＴ５１０）。そして、メインＣＰＵ１１１は、複合機本体１０３に対して自局への呼に対する着信許可の要求（着信要求）を行う（ＳＴ５１１）。
【００７５】
複合機本体１０３側では、メインＣＰＵ１１１から出力されたウェイクアップ信号をＵＳＢＩ／Ｆで検出すると、電源ユニット１０５のメイン電源ＳＷ１０７がオン状態に切り替えられる（ＳＴ５１２）。メイン電源ＳＷ１０７がオン状態に切り替わると、システム制御部１１４によりシステムが起動される（ＳＴ５１３）。システムが起動した状態で、上述の着信要求を受け付けると、複合機本体１０３からこの着信要求に応じて着信許可の応答（着信応答）が行われる（ＳＴ５１４）。
【００７６】
この着信応答は、回線端末主機能部１０２のメインＣＰＵ１１１を介してＩＳＤＮ制御部１０１のＣＰＵ１０８に出力される。なお、着信応答等の通信には、ＣＰＵ１０８とメインＣＰＵ１１１とを接続するバスが用いられる（図１参照）。着信応答を受け取ると、ＣＰＵ１０８は、ＨＤＬＣコントローラ３０４及び音声ＣＯＤＥＣ３０５をパワーダウン状態から復帰させる（ＳＴ５１５）。これによりスタンバイモードが解除される。
【００７７】
ＨＤＬＣコントローラ３０４及び音声ＣＯＤＥＣ３０５をパワーダウン状態から復帰させた後、ＣＰＵ１０８は、当該自局への呼に対する着信処理を行う（ＳＴ５１６）。着信処理を完了した後、ＩＳＤＮ網を介して画像データを受信する（ＳＴ５１７）。その後、画像データの受信を完了すると、ＣＰＵ１０８は、当該自局への呼に対する切断処理を行う（ＳＴ５１８）。
【００７８】
ＣＰＵ１０８で切断処理が行われると、ＩＳＤＮ制御部１０１から複合機本体１０３には指示や要求は出力されなくなる。複合機本体１０３において、一定時間、ＩＳＤＮ制御部１０１から指示や要求を受け付けないと、複合機本体１０３からＩＳＤＮ制御部１０１に対して省エネモード移行指示が出力される（ＳＴ５１９）。
【００７９】
この省エネモード移行指示を受け付けると、ＩＳＤＮ制御部１０１において、Ｌａｙｅｒ１起動種別の判別処理が行われる（ＳＴ５２０）。図７は、Ｌａｙｅｒ１起動種別の判別処理を説明するための図である。同図に示すように、Ｌａｙｅｒ１起動種別の判別処理においては、Ｌａｙｅｒ１起動種別が常時起動であるかが判断される（ＳＴ７０１）。なお、図５に示すフローを処理する場合には、スタンバイモードに移行する場合であるため、呼毎起動と判断される。
【００８０】
Ｌａｙｅｒ１起動種別が呼毎起動であると判断されると、ＣＰＵ１０８によりＨＤＬＣコントローラ３０４及び音声ＣＯＤＥＣ３０５がパワーダウン状態にされる（ＳＴ５２１）。その後、複合機本体１０３に対して省エネモード移行の旨を通知する省エネモード移行応答を出力する（ＳＴ５２２）。
【００８１】
複合機本体１０３においては、省エネモード移行応答を受け付けると、メイン電源ＳＷ１０７がオフ状態に切り替えられる（ＳＴ５２３）。メイン電源ＳＷ１０７がオフ状態に切り替わると、電源ＳＷ１１３が自動的にオフ状態に切り替わる。スタンバイモードにおいては、電源ＳＷ１１３がオフ状態にされると、これに応じてＩＳＤＮ制御部１０１のバススイッチ３１２によりバスが分離状態（バススイッチＯＦＦ）とされる（ＳＴ５２４）。
【００８２】
バススイッチ３１２によりバスが分離状態とされると同時に、メインＣＰＵ１１１への電源供給が停止される（ＳＴ５２５）。これにより、メインＣＰＵ１１１は、動作停止状態となる。メインＣＰＵ１１１が動作停止状態に移行すると、ＩＳＤＮ制御部１０１において、Ｓ／Ｔコントローラ１０９、ＣＰＵ１０８、ＦＲＯＭ３０１及びＳＲＡＭ３０２がローパワーモードに移行する（ＳＴ５０７）。そして、処理がＳＴ５０１に戻され、再び、ＩＮＦＯの受信が監視される。
【００８３】
このように本実施の形態のＩＳＤＮ制御部１０１によれば、Ｓ／Ｔコントローラ１０９を介して得たＬａｙｅｒ１起動種別に応じてＩＳＤＮの起動モードが識別され、その起動モードが呼毎起動の場合に特定の構成要素への電源供給を再開させてスタンバイモードが解除される。したがって、ＩＳＤＮの起動モードに応じて特定の構成要素への電源供給を操作することができるので、ＩＳＤＮの起動モードに応じて効率的に省電力化を図ることができる。
【００８４】
また、本実施の形態のＩＳＤＮ制御部１０１においては、Ｓ／Ｔコントローラ１０９を介して得た呼設定情報から自局宛ての呼を検出した場合に特定の構成要素への電源供給を再開させてスタンバイモードが解除される。したがって、呼設定情報の内容に応じて特定の構成要素への電源供給を操作することができるので、ＩＳＤＮの起動モードと合わせて呼設定情報の内容に応じて効率的に周辺回路に対する省電力化を図ることができる。
【００８５】
一方、自局宛ての呼以外の呼を検出した場合には、スタンバイモードが解除されず、そのまま維持される。したがって、例えば、通信回線に複数台の端末が接続された場合に自局宛ての呼以外の呼を検出した場合にスタンバイモードが解除され、電源供給が行われる事態が回避されるので、効率的に省電力化を図ることができる。
【００８６】
さらに、本実施の形態のＩＳＤＮ制御部１０１においては、スタンバイモードにおいて電源供給を停止する特定の構成要素以外の構成要素を動作停止状態にし、このスタンバイモードを解除する際、動作停止状態の構成要素を動作停止状態から復帰させる。したがって、スタンバイモードにおいては特定の構成要素以外の構成要素が動作停止状態になるので、よりＩＳＤＮ制御ユニットにおける省電力化を図ることができる。
【００８７】
一方、パワーダウンモードから復帰する場合においては、図６に示すように、まず、ＳＥＴＵＰの受信が監視される（ＳＴ６０１）。ＳＥＴＵＰを受信するまではＳＴ６０１の判断が繰り返される。ＳＥＴＵＰの受信が確認されると、そのＳＥＴＵＰの内容の解析が行われる（ＳＴ６０２）。なお、ＳＥＴＵＰ受信の監視及びＳＥＴＵＰの内容解析は、ＣＰＵ１０８により行われる。
【００８８】
そして、ＳＥＴＵＰメッセージの内容に応じて自局への呼であるかが判断される（ＳＴ６０３）。ここで、自局への呼でないと判断された場合には、処理がＳＴ６０１に戻され、再び、ＳＥＴＵＰの受信が監視される。
【００８９】
一方、自局への呼であると判断された場合には、ＣＰＵ１０８から回線端末主機能部１０２の省エネマイコン１１２に割込み信号が出力される。割込み信号を受け取ると、省エネマイコン１１２は、電源ＳＷ１１３をオン状態に切り替える指示を出す。この指示に応じて電源ＳＷ１１３がオン状態に切り替わる（ＳＴ６０４）。
【００９０】
なお、パワーダウンモードにおいては、ＩＳＤＮ制御部１０１のバススイッチ３１２によりバスが非分離状態に維持されているため、図５で説明したスタンバイモードのように、電源ＳＷ１１３のオン状態の切替えに応じてバススイッチ３１２によりバスが非分離状態に切り替えられることはない。
【００９１】
電源ＳＷ１１３がオン状態とされると、回線端末主機能部１０２のメインＣＰＵ１１１にも常時電源１０６からの電源が供給される。電源供給を受けると、メインＣＰＵ１１１は、ウェイクアップ信号を複合機本体１０３に出力する（ＳＴ６０５）。そして、メインＣＰＵ１１１は、複合機本体１０３に対して自局への呼に対する着信許可の要求（着信要求）を行う（ＳＴ６０６）。
【００９２】
複合機本体１０３側では、メインＣＰＵ１１１から出力されたウェイクアップ信号をＵＳＢＩ／Ｆで検出すると、電源ユニット１０５のメイン電源ＳＷ１０７がオン状態に切り替えられる（ＳＴ６０７）。メイン電源ＳＷ１０７がオン状態に切り替わると、システム制御部１１４によりシステムが起動される（ＳＴ６０８）。システムが起動した状態で、上述の着信要求を受け付けると、複合機本体１０３からこの着信要求に応じて着信許可の応答（着信応答）が行われる（ＳＴ６０９）。
【００９３】
この着信応答は、回線端末主機能部１０２のメインＣＰＵ１１１を介してＩＳＤＮ制御部１０１のＣＰＵ１０８に出力される。着信応答を受け取ると、ＣＰＵ１０８は、ＨＤＬＣコントローラ３０４、音声ＣＯＤＥＣ３０５等その他のＩＣをパワーダウン状態から復帰させる（ＳＴ６１０）。これにより、パワーダウンモードが解除される。
【００９４】
ＨＤＬＣコントローラ３０４、音声ＣＯＤＥＣ３０５等その他のＩＣをパワーダウン状態から復帰させた後、ＣＰＵ１０８は、当該自局への呼に対する着信処理を行う（ＳＴ６１１）。着信処理を完了した後、ＩＳＤＮ網を介して画像データを受信する（ＳＴ６１２）。その後、画像データの受信を完了すると、ＣＰＵ１０８は、当該自局への呼に対する切断処理を行う（ＳＴ６１３）。
【００９５】
ＣＰＵ１０８で切断処理が行われると、ＩＳＤＮ制御部１０１から複合機本体１０３には指示や要求は出力されなくなる。複合機本体１０３において、一定時間、ＩＳＤＮ制御部１０１から指示や要求を受け付けないと、複合機本体１０３からＩＳＤＮ制御部１０１に対して省エネモード移行指示が出力される（ＳＴ６１４）。
【００９６】
この省エネモード移行指示を受け付けると、ＩＳＤＮ制御部１０１において、上述したＬａｙｅｒ１起動種別の判別処理が行われる（ＳＴ６１５）。なお、図６に示すフローを処理する場合には、パワーダウンモードに移行する場合であるため、常時起動と判断される。
【００９７】
Ｌａｙｅｒ１起動種別が常時起動であると判断されると、ＣＰＵ１０８によりＨＤＬＣコントローラ３０４、音声ＣＯＤＥＣ３０５等その他ＩＣ１１０がパワーダウン状態にされる（ＳＴ６１６）。その後、複合機本体１０３に対して省エネモード移行の旨を通知する省エネモード移行応答を出力する（ＳＴ６１７）。
【００９８】
複合機本体１０３においては、省エネモード移行応答を受け付けると、メイン電源ＳＷ１０７がオフ状態に切り替えられる（ＳＴ６１８）。メイン電源ＳＷ１０７がオフ状態に切り替わると、電源ＳＷ１１３が自動的にオフ状態に切り替わる。電源ＳＷ１１３がオフ状態にされると、メインＣＰＵ１１１への電源供給が停止される（ＳＴ６１９）。その後、処理がＳＴ６０１に戻され、再び、ＳＥＴＵＰの受信が監視される。
【００９９】
なお、パワーダウンモードにおいては、バススイッチ３１２によりバスが非分離状態に維持されるため、図５に示すスタンバイモードのように、電源ＳＷ１１３のオフ状態の切替えに応じてバススイッチ３１２によりバスが分離状態に切り替えられることはない。
【０１００】
このように本実施の形態に係るＩＳＤＮ制御部１０１によれば、Ｓ／Ｔコントローラ１０９を介して得たＬａｙｅｒ１起動種別に応じてＩＳＤＮの起動モードが識別され、その起動モードが常時起動の場合に特定の構成要素を動作停止状態から復帰させてパワーダウンモードが解除される。このため、ＩＳＤＮの起動モードに応じて特定の構成要素の動作停止状態を操作することができる。この結果、特定の構成要素への電源供給を操作することができるので、ＩＳＤＮの起動モードに応じて効率的に省電力化を図ることができる。
【０１０１】
また、本実施の形態のＩＳＤＮ制御部１０１においては、Ｓ／Ｔコントローラ１０９を介して得た呼設定情報から自局宛ての呼を検出した場合に特定の構成要素を動作停止状態から復帰させてパワーダウンモードが解除される。したがって、呼設定情報の内容に応じて特定の構成要素の動作停止状態を操作することができる。この結果、特定の構成要素への電源供給を操作することができるので、ＩＳＤＮの起動モードと合わせて呼設定情報の内容に応じて効率的に省電力化を図ることができる。
【０１０２】
一方、自局宛ての呼以外の呼を検出した場合には、パワーダウンモードが解除されず、そのまま維持される。したがって、例えば、通信回線に複数台の端末が接続された場合に自局宛ての呼以外の呼を検出した場合にパワーダンモードが解除され、電源供給が行われる事態が回避されるので、効率的に省電力化を図ることができる。
【産業上の利用可能性】
【０１０３】
本発明に係るＩＳＤＮ制御ユニット及びこれを備えた複合機によれば、ＩＳＤＮの起動モードに応じて周辺回路に対する省電力化を図ることができ、より省電力化に優れた複合機が提供される点で有用である。
【図面の簡単な説明】
【０１０４】
【図１】本発明の一実施の形態に係る複合機におけるＩＳＤＮ制御ユニット（ＩＳＤＮ制御部）周辺の構成を示すブロック図
【図２】上記実施の形態に係るＩＳＤＮ制御ユニットに接続される回線端末主機能部でウェイクアップ信号の見なされるＤ＋の状態を説明するための図
【図３】上記実施の形態に係るＩＳＤＮ制御ユニットの構成を示すブロック図（パワーダウンモード）
【図４】上記実施の形態に係るＩＳＤＮ制御ユニットの構成を示すブロック図（スタンバイモード）
【図５】上記実施の形態に係るＩＳＤＮ制御ユニットがスタンバイモードから復帰する場合の動作について説明するためのフロー図
【図６】上記実施の形態に係るＩＳＤＮ制御ユニットがパワーダウンモードから復帰する場合の動作について説明するためのフロー図
【図７】上記実施の形態に係るＩＳＤＮ制御ユニットにおけるＬａｙｅｒ１起動種別の判別処理を説明するための図
【符号の説明】
【０１０５】
１０１  ＩＳＤＮ制御部
１０２  回線端末主機能部
１０３  複合機本体
１０５  電源ユニット
１０６  常時電源
１０７  メイン電源ＳＷ
１０８  ＣＰＵ
１０９  Ｓ／Ｔコントローラ
１１１  メインＣＰＵ
１１２  省エネマイコン
１１３  電源ＳＷ
３０３  Ｇ４ファックス制御部
３０６  Ｇ３Ｉファックス制御部
【図１】
2005348152.tif 000003
【図２】
2005348152.tif 000004
【図３】
2005348152.tif 000005
【図４】
2005348152.tif 000006
【図５】
2005348152.tif 000007
【図６】
2005348152.tif 000008
【図７】
2005348152.tif 000009